(57)【要約】      （修正有）【課題】被覆導線に大きな力が加わっても、ハンダとの接続部において断線しにくいモーターを提供する。【解決手段】被覆導線２が、ハンダ接続部近傍で、ハウジング１１の反対側に折り返されるとともに、エンドキャップ１２の側周面１２ｃから端面１２ｄの一部に沿うように配線されるとともに、少なくともエンドキャップの側周面１２ｃに沿う部分と、エンドキャップ１２の端面１２ｄに沿う部分が、モーター本体１に装着され、挟着部３１，３２を有する被覆導線位置規制部材３によって挟着されている。【選択図】図２
0003203100.tif 000002
【実用新案登録請求の範囲】
【請求項１】
回転子の回転軸を支持する一方の軸受け部が底に設けられた有底筒状をした金属製のハウジングと、外部に２つの端子が露出するように備えるとともに、前記回転子の回転軸を支持する他方の軸受け部が設けられ、前記ハウジングの開口を塞ぐ合成樹脂製のエンドキャップを有するモーター本体と、
前記エンドキャップに設けられた一対の端子にそれぞれハンダで接続された２本の被覆導線を備えるモーターであって、
前記モーター本体に支持固定され、前記被覆導線を前記エンドキャップの側周面とエンドキャップの端面に沿うように位置規制する被覆導線規制部材を備えていることを特徴とするモーター。
【請求項２】
被覆導線のハンダ接続部の先端が、ハウジング方向を向いている請求項１に記載のモーター。
【請求項３】
被覆導線のハンダ接続部の先端が、反ハウジング方向を向いているとともに、被覆導線が、ハンダ接続部近傍で、反ハウジング側に折り返されて、前記エンドキャップの側周面から端面の一部に沿うようにされている請求項１に記載のモーター。
【請求項４】
被覆導線位置規制部材が係止部を有し、モーター本体が、前記係止部が係止されることによって前記被覆導線規制部材を被覆導線位置規制状態に支持する係合孔あるいは係合凹部を備えている請求項１〜請求項３のいずれかに記載のモーター。
【請求項５】
被覆導線位置規制部材が、被覆導線の、エンドキャップの側周面に沿う部分を挟着する第１挟着部と、エンドキャップの端面に沿う部分を挟着する第２挟着部を備えている請求項１〜請求項４のいずれかに記載のモーター。
【請求項６】
左右一対の第２挟着部を有し、これらの第２挟着部が、その端縁に、被覆導線が係合して被覆導線間の間隔を保持する切欠を備えている請求項５に記載のモーター。
【請求項７】
被覆導線位置規制部材は、第１挟着部と、この第１挟着部に対面して設けられ、第１挟着部との間にモーター本体を挟み込むモーター本体挟持部と、前記第１挟着部と、モーター本体挟持部を連結する枠状の連結部を有し、
一対の第２挟着部が、前記連結部の両側枠から延出するように設けられている請求項６に記載のモーター。
【請求項８】
モーター本体挟持部に第２の係止部が設けられているとともに、モーター本体にこの第２の係止部が係合する第２の係合孔または係合凹部が設けられている請求項６または請求項７に記載のモーター。
【考案の詳細な説明】
【技術分野】
【０００１】
本考案は、例えば、電動教材や模型に用いられる小型のＤＣモーターに関する。
【背景技術】
【０００２】
電動教材や模型に用いられる小型のＤＣモーター（以下、「モーター」とのみ記す）として、図１４に示すようなモーターＸがすでに上市されている。
すなわち、このモーターＸは、図１５に示すように、モーター本体１００と、２本の被覆導線２００と、被覆導線幅規制部材３００を備えている。
【０００３】
モーター本体１００は、図１６に示すように、ハウジング１１０と、エンドキャップ１２０と、回転軸１３１を備える回転子１３０を備えている。
ハウジング１１０は、金属材料で形成された有底筒状をしていて、回転子１３０の回転軸１３１が、図示していないが、筒底の中央を貫通して回転自在に支持されている。
【０００４】
エンドキャップ１２０は、合成樹脂製で、上記のハウジング１１０の開口部を塞ぐとともに、中央に回転軸１３１の他端部を回転自在に支持する軸受け部１２１を備えている。
また、エンドキャップ１２０は、２つの端子１２２が外部に露出するように設けられている。
【０００５】
被覆導線２００は、被覆を剥がすことで露出した導線２１０を、その先端が反ハウジング１１０側、すなわち、エンドキャップ１２０側に向くように配置させた状態で、ハンダ４００を介して端子１２２に接続固定されている。
すなわち、上記のようにハンダ４００により接続固定する際に、導線２１０の先端が、ハウジング１１０側を向いていないので、導線２１０がハウジング１１０に接触して短絡することがないようにしている。
【０００６】
被覆導線幅規制部材３００は、先端に係止爪を有する係止部３１０をハウジング１１０に設けられた係合孔１１１に係合させることによって、部材本体３２０が、ハンダ接続部近傍部分で、被覆導線２００が幅方向およびハウジング１１０壁面から遠ざかる方向に移動しないように位置規制している。
すなわち、このモーターＸは、被覆導線幅規制部材３００によって、被覆導線２００の他端を電池ボックス等の他の電気機器に接続する作業をする際に、ハンダ接続部に導線の曲げ方向の力が加わり、導線が切断するという事故を防止するようにしている。
【考案の概要】
【考案が解決しようとする課題】
【０００７】
しかし、上記モーターＸは、上記部材本体３２０によって、ハンダ４００と導線２１０の接続部およびその近傍に曲げ方向の力が加わらないようにしているが、部材本体３２０が、被覆導線３００にそれほど大きな挟着力を備えていないため、導線２１０が引き抜かれるような力が加わった場合、導線２１０がハンダ４００から抜けたり、ハンダ４００の根元で断線したりすることを十分に防止することができなかった。
すなわち、上記モーターＸは、小学生の電動教材に用いられることが多いが、小学生などは、被覆導線２００を持ってモーター本体１００を振り回すなど、思いも寄らない行動をとり、上記のように、被覆導線３００に大きな力が加わるということが発生するおそれがある。
【０００８】
本考案は、上記事情に鑑みて、被覆導線に大きな力が加わっても、ハンダとの接続部において断線しにくいモーターを提供することを目的としている。
【課題を解決するための手段】
【０００９】
上記目的を達成するために、本考案にかかるモーター（以下、「本考案のモーター」と記す）は、回転子の回転軸を支持する一方の軸受け部が底に設けられた有底筒状をした金属製のハウジングと、外部に２つの端子が露出するように備えるとともに、前記回転子の回転軸を支持する他方の軸受け部が設けられ、前記ハウジングの開口を塞ぐ合成樹脂製のエンドキャップを有するモーター本体と、前記エンドキャップに設けられた一対の端子にそれぞれハンダで接続された２本の被覆導線を備えるモーターであって、前記モーター本体に支持固定され、前記被覆導線を前記エンドキャップの側周面とエンドキャップの端面に沿うように位置規制する被覆導線規制部材を備えていることを特徴としている。
【００１０】
被覆導線のハンダ接続部の先端は、ハウジング方向を向いていても、反ハウジング方向を向いていても構わない。
被覆導線のハンダ接続部の先端が、反ハウジング方向を向いている場合、被覆導線は、ハンダ接続部近傍で、反ハウジング側に折り返されて、前記エンドキャップの側周面から端面の一部に沿うようにされる。
【００１１】
本考案のモーターは、例えば、被覆導線位置規制部材が係止部を有し、モーター本体が、前記係止部が係止されることによって前記被覆導線規制部材を被覆導線位置規制状態に支持する係合孔あるいは係合凹部を備えている構成、または、エンドキャップの側周面に沿う部分を挟着する第１挟着部と、エンドキャップの端面に沿う部分を挟着する第２挟着部を備えている構成としてもよい。
また、上記第２挟着部を備えている構成においては、第２挟着部を左右一対設け、これらの第２挟着部が、その端縁に、被覆導線が係合して被覆導線間の間隔を保持する切欠を備えている構成とすることが好ましい。
【００１２】
さらに、被覆導線位置規制部材は、第１挟着部と、この第１挟着部に対面して設けられ、第１挟着部との間にモーター本体を挟み込むモーター本体挟持部と、前記第１挟着部と、モーター本体挟持部を連結する枠状の連結部を有し、一対の第２挟着部が、前記連結部の両側枠から延出するように設けられている構成、モーター本体挟持部に第２の係止部が設けられているとともに、モーター本体にこの第２の係止部が係合する第２の係合孔または係合凹部が設けられている構成としてもよい。
【考案の効果】
【００１３】
本考案のモーターは、以上のように、回転子の回転軸を支持する一方の軸受け部が底に設けられた有底筒状をした金属製のハウジングと、外部に２つの端子が露出するように備えるとともに、前記回転子の回転軸を支持する他方の軸受け部が設けられ、前記ハウジングの開口を塞ぐ合成樹脂製のエンドキャップを有するモーター本体と、前記エンドキャップに設けられた一対の端子にそれぞれハンダで接続された２本の被覆導線を備えるモーターであって、前記モーター本体に支持固定され、前記被覆導線を前記エンドキャップの側周面とエンドキャップの端面に沿うように位置規制する被覆導線規制部材を備えているので、被覆導線がハンダ接続部で断線しにくい。
すなわち、被覆導線挟着部によって、被覆導線のハンダ接続部近傍が、ハウジングの周壁面と、この周壁面に交差するように配置されるエンドキャップの端面に沿い屈曲した状態に保たれるので、ハンダ接続部での被覆導線のモーター本体の壁面から離れる方向の動きが被覆導線挟着部のエンドキャップの端面に沿う部分の端縁にまず作用するため、力が弱められる。したがって、ハンダ接続部近傍に加わる力が抑えられて、断線が防止される。
【図面の簡単な説明】
【００１４】
【図１】本考案のモーターの第１の実施の形態をあらわす平面図である。
【図２】図１のモーターの斜視図である。
【図３】図１のモーターの側面図である。
【図４】図１のモーターのモーター本体を斜め上方から見た斜視図である。
【図５】図１のモーターのモーター本体の斜め下方から見た斜視図である。
【図６】図１のモーターの被覆導線位置規制部材の斜視図である。
【図７】図６の被覆導線位置規制部材の正面図である。
【図８】図６の被覆導線位置規制部材の背面図である。
【図９】図６の被覆導線位置規制部材の平面図である。
【図１０】図６の被覆導線位置規制部材の底面図である。
【図１１】図６の被覆導線位置規制部材の右側面図である。
【図１２】図６の被覆導線位置規制部材の左側面面図である。
【図１３】図１のモーターの組み立て工程を説明する図である。
【図１４】本考案のモーターの第２の実施の形態をあらわす側面図である。
【図１５】従来のモーターの斜視図である。
【図１６】図１４のモーターの被覆導線幅規制部材を取り除いた状態の斜視図である。
【考案を実施するための形態】
【００１５】
以下に、本考案を、その実施の形態をあらわす図面を参照しつつ詳しく説明する。
図１〜図３は、本考案のモーターの第１の実施の形態をあらわしている。
【００１６】
図１〜図３に示すように、このモーターＡは、モーター本体１と、被覆導線２と、被覆導線位置規制部材３を備えている。
モーター本体１は、図４および図５に示すように、ハウジング１１と、合成樹脂製のエンドキャップ１２と、回転子１３を備えている。
【００１７】
ハウジング１１は、アルミニウム、アルミニウム合金、亜鉛メッキ鋼、ステンレス鋼等の金属材料で有底筒状に形成されていて、図５に示すように、底１１ｆに回転子１３の回転軸１３ａの一端を受ける軸受け部１１ｇを備えている。
また、ハウジング１１は、筒周壁が平行に設けられた２つの扁平面１１ａ、１１ｂと、これらに扁平面１１ａを連結する湾曲面１１ｃを有し、一方の扁平面１１ａに１対の第１係合孔１１ｄが穿設され、他方の扁平面１１ｂに１つの第２係合孔１１ｅが穿設されている。
【００１８】
エンドキャップ１２は、例えば、エポキシ樹脂、フェノール樹脂、不飽和ポリエステル樹脂等の熱硬化性樹脂で形成されていて、回転子１３の回転軸１３ａの他端を受ける軸受け部１２ａを備え、ハウジング１１の一端開口を閉じるようにハウジング１１に装着されている。
また、エンドキャップ１２は、図４に示すように、図示していないブラシ等に接続された一対の端子１２ｂ、１２ｂが外部に突出するように設けられている。
【００１９】
被覆導線２は、銅、アルミニウム、ステンレス鋼などの導線が塩化ビニル樹脂被覆されていて、一端で露出した導線２１が、その先端を反ハウジング１１側に向けた状態で、すなわち、導線２１の先端がハウジング１１に接触しないようにして、端子１２ｂにハンダ４で固定されている。
また、被覆導線２は、図３に示すように、後述する被覆導線位置規制部材３によって、ハンダ４の接続部近傍で反ハウジング１１側、すなわち、エンドキャップ１２側に反転させた状態としたのち、エンドキャップ１２の側周面１２ｃと、端面１２ｄとのコーナーで端面１２ｄに沿うように屈曲した状態に保持されている。
【００２０】
被覆導線位置規制部材３は、塩化ビニル樹脂、ポリエチレン樹脂、ポリプロピレン樹脂、ＡＢＳ樹脂等の熱可塑性樹脂で形成されていて、図６〜図１１に示すように、第１挟着部３１と、モーター本体挟持部３２と、連結部３３を備えている。
第１挟着部３１は、一対の第１係止部３１ａがモーター本体挟持部３２側に向かって突出するように設けられている。
【００２１】
第１係止部３１ａは、先端に係止爪が設けられていて、後述するように、第１係合孔１１ｄに係合させることによって、上記係止爪が第１係合孔１１ｄの周縁に係止されて、大きな力が加わらない限り、抜け止め状態が確保できるようになっている。
モーター本体挟持部３２は、第１挟着部３１に対面するように設けられていて、第１挟着部３１に向かって、第２係止部３２ａが突設されている。
【００２２】
連結部３３は、中央にエンドキャップ１２の端面から突出するように設けられた軸受部１２ｂが嵌まり込む枠状をしている。
そして、連結部３３には、一対の第２挟着部３４が枠の対向する位置で枠の内側に向かって突設されている。
【００２３】
第２挟着部３４は、モーター本体挟持部３２側に向かって開口する略Ｃ字形をした切欠３５が設けられている。
そして、被覆導線２は、ハンダ４との接続部から反転した部分が、第１挟着部３１とモーター本体１の周壁を構成するハウジング１１の扁平面１１ａおよびエンドキャップ１２との側周壁１２ｃの間で挟み込まれた状態に保持され、エンドキャップ１２の端面１２ｄに沿う部分が、エンドキャップ１２と第２挟着部３４の間で挟み込まれた状態に保持されるとともに、第２挟着部３４の切欠３５に嵌まり込んで幅方向の動きが規制されている。
【００２４】
また、このモーターＡは、特に限定されないが、例えば、以下のようにして組み立てられる。
すなわち、図１３に示すように、各被覆導線２をハンダ４との接続部近傍で反ハウジング１１側へ折り返すとともに、被覆導線２を連結部３３の枠内に挿通した状態で、第１係止部３１ａを第１係合孔１１ｄ内に臨ませる。
【００２５】
その後、ハウジング１１の扁平面１１ａおよびエンドキャップ１２の側周壁１２ｃに沿う部分が第１挟着部３１で挟み込まれるようにしながら、モーター本体挟持部３２が扁平面１１ｂに対面し、第２係止部３２ａが第２係合孔１１ｅに係合されるまで、被覆導線位置規制部材３を外側に少し撓ませながら、第１係止部３１ａを中心にモーター本体挟持部３２を回動させる。
そして、切欠３５に被覆導線２を係合させる。
【００２６】
このモーターＡは、上記のように、被覆導線２が第１挟着部３１と、この第１挟着部３１に直交するように設けられた第２挟着部３４によって、被覆導線２が直角に折れ曲がった状態に挟着されるので、被覆導線２の他端側に引っ張り方向の力が加わっても、大きな力が急激にハンダ４との接続部およびその近傍に加わらない。
また、被覆導線２が切欠３５に係合しているので、被覆導線２の幅方向の動きが規制され、ハンダ４との接続部およびその近傍に幅方向の動きが伝わらない。
【００２７】
さらに、被覆導線２が、切欠３５に係合されることによって、被覆導線２の切欠３５から被覆導線位置規制部材３の外側に出た部分は、第２挟着部３４によって挟着された部分に対しほぼ直角に屈曲した状態となる。
したがって、被覆導線２の切欠３５から被覆導線位置規制部材３の外側に出た部分に引っ張り力が加わっても、切欠３５のエッジ部分で大きな摩擦抵抗が得られ、ハンダ４との接続部およびその近傍へ大きな引張り力が加わらない。
すなわち、  このモーターＡは、ハンダ４との接続部およびその近傍での断線を少なくすることができる。
また、従来の被覆導線位置規制部材３００を被覆導線位置規制部材３に変更するだけでよいので、部品点数が少なくてすみ、ほとんどコストアップすることがない。
【００２８】
図１４は、本考案のモーターの第２の実施の形態をあらわしている。
図１４に示すように、このモーターＢは、被覆導線２のハンダ４に接続される導線２１の先端がハウジング１側を向いている以外は、上記モーターＡと同様になっている。
【００２９】
本考案のモーターは、上記の実施の形態に限定されない。例えば、上記の実施の形態では、第２挟着部に切欠が設けられ、この切欠によって、被覆導線の幅方向の動きを規制するようにしていたが、第２挟着部から離れた位置に被覆導線挿通孔を切欠の代わりに設けて、この被覆導線挿通孔に被覆導線を挿通することによって幅方向の動きを規制するようにしても構わない。
上記実施の形態では、ハウジングが、２つの扁平面を備えた筒形状をしていたが、円筒状でも構わない。
【符号の説明】
【００３０】
Ａ、Ｂ  モーター
１  モーター本体
１１  ハウジング
１１ａ、１１ｂ  扁平面
１１ｃ  湾曲面
１１ｄ  第１係合孔
１１ｅ  第２係合孔
１１ｆ  底
１１ｇ  軸受け部
１２  エンドキャップ
１２ａ  軸受け部
１２ｂ  端子
１２ｃ  側周面
１２ｄ  端面
１３  回転子
１３ａ  回転軸
２  被覆導線
２１  導線
３  被覆導線位置規制部材
３１  第１挟着部
３１ａ  第１係止部
３２  モーター本体挟持部
３２ａ  第２係止部
３３  連結部
３３ａ  側枠部
３４  第２挟着部
３５  切欠
４  ハンダ
【図１】
0003203100.tif 000003
【図２】
0003203100.tif 000004
【図３】
0003203100.tif 000005
【図４】
0003203100.tif 000006
【図５】
0003203100.tif 000007
【図６】
0003203100.tif 000008
【図７】
0003203100.tif 000009
【図８】
0003203100.tif 000010
【図９】
0003203100.tif 000011
【図１０】
0003203100.tif 000012
【図１１】
0003203100.tif 000013
【図１２】
0003203100.tif 000014
【図１３】
0003203100.tif 000015
【図１４】
0003203100.tif 000016
【図１５】
0003203100.tif 000017
【図１６】
0003203100.tif 000018